(57)【要約】【課題】  既存の入口柱の交換や、追加的な入口柱の加工を不必要として、ドア安全センサを簡単に取り付けられるようにした乗りかご出入口のドア安全装置を提供する。【解決手段】  本発明の実施形態によるドア安全装置は、入口柱２０に配置されるドア安全センサ２２の上端部に装着され、上端部へ装着したときに前記入口柱に上から係合し前記上端部を保持しこれを固定する第１の固定具２６と、ドア安全センサ２２の下端部に装着され、前記下端部に装着した状態のまま横方向から前記下端部に係合しこれを固定する第２の固定具２４と、を備えている。【選択図】        図１
2018193224.tif 000002
【特許請求の範囲】
【請求項１】
エレベータの乗りかごのかご出入口を形成する入口柱と、かごドアの戸当たり側にそれぞれ配置される一対のドア安全センサを備えた乗りかご出入口のドア安全装置において、
前記入口柱に配置されるドア安全センサの上端部に装着され、前記上端部へ装着したときに前記入口柱に上から係合し前記上端部を保持しこれを固定する第１の固定具と、
前記ドア安全センサの下端部に装着され、前記下端部に装着した状態のまま横方向から前記下端部に係合しこれを固定する第２の固定具と、を備えたことを特徴とする乗りかご出入口のドア安全装置。
【請求項２】
前記第１の固定具は、
前記入口柱の上端部に係合する板ばねを有する第１の弾性係合部と、
前記ドア安全センサの上端部に嵌合し、前記第１弾性係合部を保持する筒状部と、を備えたことを特徴とする請求項１に記載の乗りかご出入口のドア安全装置。
【請求項３】
前記第２の固定具は、
前記入口柱の下端部に係合する板ばね部と、前記板ばね部を水平に支持する延長腕と、を有する第２の弾性係合部と、
前記ドア安全センサの上端部に嵌合し、前記第２弾性係合部を保持する筒状部と、を備えたことを特徴とする請求項１に記載の乗りかご出入口のドア安全装置。
【請求項４】
前記第１の固定具の前記筒状部および／または前記第２の固定具の前記筒状部には、遮光しないためのスリットが形成されていることを特徴とする請求項２または３に記載の乗りかご出入口のドア安全装置。
【請求項５】
前記入口柱は、既設のエレベータの乗りかごの既存の入口柱であることを特徴とする請求項１乃至４のいずれかに記載の乗りかご出入口のドア安全装置。
【発明の詳細な説明】
【技術分野】
【０００１】
本発明の実施形態は、エレベータの乗りかご出入口のドア安全装置に関する。
【背景技術】
【０００２】
エレベータの乗りかごでは、かご出入口にドア安全装置が設けられており、このドア安全装置によって、ドアに乗客が挟まれるのを防止し、また、障害物の挟み込みによる破損を防止している。
【０００３】
この種のドア安全装置では、かご出入口での乗客や荷物などの有無を、ドア安全センサを用いて検出している。ドア安全センサは、かご出入口を横切る方向に光を照射する投光器と、この投光器からの光を受ける受光器とが対をなしている光センサである。かご出入口に乗客がいる場合、投光器から照射された光は、乗客に遮られて受光器まで届かないので、かご出入口での乗客の存在が検出され、かごドアは閉じないようになっている。この種のドア安全装置に係る従来技術としては、例えば、特許文献１に記載されたドア安全装置を挙げることができる。
【０００４】
従来のドア安全装置では、一方のドア安全センサは、乗りかごの入口柱に取り付けられ、他方のドア安全センサは、かごドアに取り付けられていることが多い。
【０００５】
ところで、古い旧式のエレベータでは、かご出入口にドア安全装置が設置されていないことがある。  
そのような既存のエレベータの改修やリニューアル工事では、エレベータシステムを更新する際に、乗りかごの既存の入口柱をそのまま流用してドア安全装置を取り付けることが行われることが多い。この種のリニューアルにおいて、乗りかごの入口柱にドア安全センサを取り付ける場合、センサ本体は、ねじ、ボルト、ナット等を用いて固定されるのが一般的である。
【先行技術文献】
【特許文献】
【０００６】
【特許文献１】特開２００６−１８８３５１号公報
【発明の開示】
【発明が解決しようとする課題】
【０００７】
しかしながら、既設の入口柱には、センサ取付用の穴はあいていないことから、穴加工をする必要がある。エレベータによっては、必要な箇所すべてにセンサ取付用の穴を加工するのが難しい入口柱であることがあり、その場合には、入口柱を交換しなければならなかった。
【０００８】
本発明は、前記従来技術の有する問題点に鑑みなされたものであって、エレベータのリニューアルの際、既設のエレベータの乗りかごにドア安全センサを設ける場合に、既存の入口柱の交換や、追加的な入口柱の加工を不必要として、ドア安全センサを簡単に取り付けられるようにした乗りかご出入口のドア安全装置を提供することを目的としている。
【課題を解決するための手段】
【０００９】
前記の目的を達成するために、本発明の実施形態に係る乗りかご出入口のドア安全装置は、エレベータの乗りかごのかご出入口を形成する入口柱と、かごドアの戸当たり側にそれぞれ配置される一対のドア安全センサを備えた乗りかご出入口のドア安全装置において、  前記入口柱に配置されるドア安全センサの上端部に装着され、前記上端部へ装着したときに前記入口柱に上から係合し前記上端部を保持しこれを固定する第１の固定具と、前記ドア安全センサの下端部に装着され、前記下端部に装着した状態のまま横方向から前記下端部に係合しこれを固定する第２の固定具と、を備えたことを特徴とするものである。
【図面の簡単な説明】
【００１０】
【図１】本発明の実施形態に係るドア安全装置が適用されるエレベータの乗りかごにおいて、かご出入口を示す斜視図である。
【図２】本発明の実施形態において、かご出入口におけるドア安全装置の配置を示す平面図である。
【図３】上固定具の構成要素を分解して示す斜視図である。
【図４】上固定具をドア安全センサの上端部に装着した状態を示す斜視図である。
【図５】下固定具の構成要素を分解して示す斜視図である。
【図６】下固定具をドア安全センサの下端部に装着した状態を示す斜視図である。
【図７】ドア安全センサの下端を入口柱に下固定具で固定した状態を示す斜視図である。
【図８】ドア安全センサの下端を固定している状態の下固定具の側面を表した図である。
【図９】図７における板ばね部の断面を示す図である。
【図１０】上固定具をドア安全センサの上端に装着した状態を示す斜視図である。
【発明を実施するための最良の形態】
【００１１】
以下、本発明による乗りかご出入口のドア安全装置の一実施形態について、添付の図面を参照しながら説明する。  
図１は、本発明の実施形態に係るドア安全装置が適用されるエレベータの乗りかごにおいて、かご出入り口を示す斜視図である。この図１では、かごドアの戸あたり部側が主に示されている。図２は、かご出入口におけるドア安全装置の配置を示す平面図である。
【００１２】
図１、図２において、参照番号１０は、乗りかごを示している。参照番号１２は、乗りかご１０のかご床を示し、１４は側板を示している。１６は、幅木である。かご出入口の両側には、入口柱１９、２０がかご床１２から垂直に立設されている。かご出入口の床面には、敷居１８が取り付けられている。この敷居１８の上には、かごドア２１ａ、２１ｂが配置されている。この実施形態では、かごドア２１ａ、２１ｂは片引き戸型のかごドアである。かご出入口では、入口柱１９、２０のうち、入口柱２０が、かごドア２１ａ、２１ｂが戸閉したときに、かごドア２１ａの戸先が当たる方の戸当たり側に位置する入口柱である。
【００１３】
本実施形態によるドア安全装置は、戸当たり側の入口柱２０に取り付けられるドア安全センサ２２と、かごドア２１ａに取り付けられるドア安全センサ２３と、が組み合わされた一対の光センサを有している。
【００１４】
図１に示されるように、ドア安全センサ２２は、入口柱２０に沿って取り付けられ、入口柱２０とほぼ同じ長さの角筒形のセンサケース２２ａを有している。このセンサケース２２ａには、高さ方向の所定間隔で図示しない複数の投光器が収納されている。各投光器からは、かご出入口を横断するように光が照射されるようになっている。かごドア２１ａの戸先に取り付けられているドア安全センサ２３には、投光器からの光を受ける受光器が設けられている。このような受光側のドア安全センサ２３でも、投光側のドア安全センサ２２と同様に、細長いセンサケース内に複数の受光器が長さ方向に配列されている。なお、ドア安全センサ２３の方に投光器を、ドア安全センサ２２に受光器を設けるようにしてもよいことはもちろんである。
【００１５】
本実施形態では、ドア安全センサ２２は、次のような固定具を用いて入口柱２０に取り付けられる。図１に示されるように、固定具には、ドア安全センサ２２の下端部を入口柱２０に固定する下固定具（第１の固定具）２４と、ドア安全センサ２２の上端部を入口柱２０に固定する上固定具（第２の固定具）２６と、を一組にして用いられている。
【００１６】
まず、上固定具２６について説明する。  
図３は、上固定具２６の構成要素を分解して示す斜視図であり、図４は、上固定具２６をドア安全センサ２２の上端部に装着した状態を示す斜視図である。
【００１７】
図３において、上固定具２６は、大きく分けると、ドア安全センサ２２の上端部に嵌合する筒状部３２と、入口柱２０の縁部を筒状部３２との間で挟み込んでドア安全センサ２２の上端部を固定するクリップ部（第１の弾性係合部）２８と、から構成されている。
【００１８】
筒状部３２は、ドア安全センサ２２のセンサケース２２ａの横断面形状に対応して角筒状に形成されており、センサケース２２ａに密着するように嵌合可能である。筒状部３２には、長さ方向に延びるスリット３３が形成され、このスリット３３は、投光器から照射される光を遮蔽しないようにする隙間である。
【００１９】
クリップ部２８は、筒状部３２の断面形状に対応している上面部２９と、この上面部２９の一辺から直角に下側に折れ曲がった固定面２７と、固定面２７と垂直になるように上面部２８からに直角に下側に折れ曲がった板ばね部３０と、が一体構造の金具である。固定面２７は、筒状部３２の内側面に固着され、これによって、図４に示されるように、クリップ部２８は、筒状部３２の上端に固定される。このとき、板ばね部３０は、筒状部２８の外側に出ている状態になっている。板ばね部３０には、山部３１が形成されている。
【００２０】
次に、下固定具２４について、図５、図６を参照しながら説明する。図５は、下固定具２４の構成要素を分解して示す斜視図であり、図６は、下固定具２４をドア安全センサ２２の下端部に装着した状態を示す斜視図である。
【００２１】
下固定具２４は、大きく分けると、ドア安全センサ２２の下端部に嵌合する筒状部３４と、入口柱２０の下端縁に係合して、ドア安全センサ２２の下端部を保持・固定する（第２の）弾性係合部３６と、から構成されている。
【００２２】
筒状部３４は、上固定具２６と同様に、ドア安全センサ２２のセンサケース２２ａの横断面形状に対応して角筒状に形成されており、センサケース２２ａの下端に密着するように嵌合可能である。筒状部３４には、長さ方向に延びるスリット３５が形成されている点も同様で、このスリット３５は、投光器から照射される光を遮蔽しないようにする隙間である。
【００２３】
弾性係合部３６は、Ｌ字形の延長腕３８と、この延長腕３８の一端から直角に上側に折れ曲がった固定面３７と、延長腕３８の他端から垂直に水平に延びる板ばね部３９と、とが一体構造の金具である。固定面３７は、筒状部３４の内側面に固着され、延長腕３８および板ばね部３９は、図６に示されるように、筒状部３４の外に延出するようになっている。板ばね部３９には、山部４０が形成されている。
【００２４】
本実施形態による乗りかご出入口のドア安全装置は、以上のように構成されるものであり、次に、その作用および効果について説明する。  
以下の説明では、新設のエレベータではなく、既設のエレベータのリニューアル工事において、乗りかご１０の出入口にドア安全装置を設置する場合について説明する。
【００２５】
リニューアルの対象となる既設のエレベータでは、乗りかご１０の出入口にドア安全装置を備えていなかったため、リニューアルに際して、かご出入口にドア安全装置が新しく設置されるものとする。
【００２６】
図１において、ドア安全センサ２２は、既存の入口柱２０には、もともと取り付けられていない。本実施形態では、既存の入口柱２０を交換、加工等をすることなくそのまま流用して、下固定具２４、上固定具２６を用いた次のような手順により、ドア安全センサ２２を入口柱２０に簡便に取り付けることができる。
【００２７】
ドア安全センサ２２の取付作業では、下固定具２４を先にドア安全センサ２２の下端に取り付け、その後で上固定具２６をドア安全センサ２２の上端に装着してドア安全センサ２２を入口柱２０に固定することになる。
【００２８】
ここで、図７は、ドア安全センサ２２の下端を入口柱２０に下固定具２４で固定した状態を示す斜視図である。図８は、ドア安全センサ２２の下端を固定している状態の下固定具２４の側面を表した図である。図９は、図７における板ばね部３９の断面を示す図である。
【００２９】
取り付ける前のドア安全センサ２２の下端には、下固定具２４を装着しておく。この場合、筒状部３４をドア安全センサ２２の下端に嵌めるだけでよい。下固定具２４では、延長腕３８が筒状部３４の外まで延びており、ドア安全センサ２２を敷居１８上で立てた状態で、図８に示されるように延長腕３８と一体の板ばね部３９を敷居１８の溝４０に入れておく。そうしておいてから、ドア安全センサ２２を取付位置まで溝４０の延びる方向にスライドさせる。
【００３０】
図９に示されるように、下固定具２４の延長腕３８では、板ばね部３９の山部４０が入口柱２０の側面４１の下端に当接するが、そのままスライドさせると、板ばね部３９は、変形して溝４０の中に押し下げられ、その後、図９に示す位置で下の形状に復帰する。この状態で、下固定具２４の位置が保持されるので、ドア安全センサ２２の下端部は入口柱２０に固定される。
【００３１】
次いで、図１０において、上固定具２６をドア安全センサ２２の上端に装着する。この場合、ドア安全センサ２２の上端に筒状部３２を上から嵌めるだけで上固定具２６を簡単に装着することができる。
【００３２】
上固定具２６の装着と同時に、クリップ部２８の板ばね部３０は筒状部３２との間で入口柱２０の端縁を上から係合して挟持するので、ドア安全センサ２２の上端部の位置は保持される。このようにして、ドア安全センサ２２の上端部も入口柱２０に簡単に固定することができる。
【００３３】
以上のように、本実施形態によれば、上固定具２６と下固定具２４をドア安全センサ２２に装着することで、既存の入口柱２０の交換や、追加的な穴加工を不必要として、ドア安全センサ２２を簡単に取り付けることができる。
【００３４】
なお、以上は、リニューアル工事でのドア安全センサ２２の取り付けを例に説明したが、エレベータの新設において、乗りかごの新しい入口柱にドア安全センサを取り付ける場合も、全く同様の手順で行うことができることはもちろんである。
【００３５】
以上、本発明に係る乗りかご出入口のドア安全装置について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３６】
１０…乗りかご、１２…かご床、１４…側板、１６…幅木、１８…敷居、１９…入口柱、２０…入口柱、２１ａ、２１ｂ…かごドア、２２…ドア安全センサ、２３…ドア安全センサ、２４…下固定具、２６…上固定具、２８…クリップ部、３０…板ばね部、３２…筒状部、３４…筒状部、３５…スリット、３６…弾性係合部、３８…延長腕、３９…板ばね部
【図１】
2018193224.tif 000003
【図２】
2018193224.tif 000004
【図３】
2018193224.tif 000005
【図４】
2018193224.tif 000006
【図５】
2018193224.tif 000007
【図６】
2018193224.tif 000008
【図７】
2018193224.tif 000009
【図８】
2018193224.tif 000010
【図９】
2018193224.tif 000011
【図１０】
2018193224.tif 000012
【手続補正書】
【提出日】平成30年5月29日(2018.5.29)
【手続補正１】
【補正対象書類名】明細書
【補正対象項目名】０００９
【補正方法】変更
【補正の内容】
【０００９】
前記の目的を達成するために、本発明の実施形態に係る乗りかご出入口のドア安全装置は、エレベータの乗りかごのかご出入口を形成する入口柱と、かごドアの戸当たり側にそれぞれ配置される一対のドア安全センサを備えた乗りかご出入口のドア安全装置において、  前記入口柱に配置されるドア安全センサの上端部に装着され、前記上端部へ装着したときに前記入口柱に上から係合し前記上端部を保持しこれを固定する第１の固定具と、  前記ドア安全センサの下端部に装着され、前記下端部に装着した状態のまま横方向から前記入口柱の下端縁に係合しこれを固定する第２の固定具と、を備えたことを特徴とするものである。
【手続補正２】
【補正対象書類名】特許請求の範囲
【補正対象項目名】全文
【補正方法】変更
【補正の内容】
【特許請求の範囲】
【請求項１】
エレベータの乗りかごのかご出入口を形成する入口柱と、かごドアの戸当たり側にそれぞれ配置される一対のドア安全センサを備えた乗りかご出入口のドア安全装置において、  前記入口柱に配置されるドア安全センサの上端部に装着され、前記上端部へ装着したときに前記入口柱に上から係合し前記上端部を保持しこれを固定する第１の固定具と、
前記ドア安全センサの下端部に装着され、前記下端部に装着した状態のまま横方向から前記入口柱の下端縁に係合しこれを固定する第２の固定具と、を備えたことを特徴とする乗りかご出入口のドア安全装置。
【請求項２】
前記第１の固定具は、
前記入口柱の上端部に係合する板ばねを有する第１の弾性係合部と、
前記ドア安全センサの上端部に嵌合し、前記第１弾性係合部を保持する筒状部と、を備えたことを特徴とする請求項１に記載の乗りかご出入口のドア安全装置。
【請求項３】
前記第２の固定具は、
前記入口柱の下端部に係合する板ばね部と、前記板ばね部を水平に支持する延長腕と、を有する第２の弾性係合部と、
前記ドア安全センサの下端部に嵌合し、前記第２弾性係合部を保持する筒状部と、を備えたことを特徴とする請求項１に記載の乗りかご出入口のドア安全装置。
【請求項４】
前記第１の固定具の前記筒状部および／または前記第２の固定具の前記筒状部には、前記ドア安全センサから照射される光を遮光しないためのスリットが形成されていることを特徴とする請求項２または３に記載の乗りかご出入口のドア安全装置。
【手続補正書】
【提出日】平成30年7月31日(2018.7.31)
【手続補正１】
【補正対象書類名】明細書
【補正対象項目名】０００９
【補正方法】変更
【補正の内容】
【０００９】
前記の目的を達成するために、本発明の実施形態に係る乗りかご出入口のドア安全装置は、エレベータの乗りかごのかご出入口を形成する入口柱と、かごドアの戸当たり側にそれぞれ配置される一対のドア安全センサを備えた乗りかご出入口のドア安全装置において、  前記入口柱に配置されるドア安全センサの上端部に装着され、前記上端部へ装着したときに前記入口柱に上から係合し当該ドア安全センサの上端部を固定する第１の固定具と、  前記ドア安全センサの下端部に装着され、前記下端部に装着した状態のまま横方向から前記入口柱の下端縁に係合し当該ドア安全センサの下端部を固定する第２の固定具と、を備えたことを特徴とするものである。
【手続補正２】
【補正対象書類名】特許請求の範囲
【補正対象項目名】全文
【補正方法】変更
【補正の内容】
【特許請求の範囲】
【請求項１】
エレベータの乗りかごのかご出入口を形成する入口柱と、かごドアの戸当たり側にそれぞれ配置される一対のドア安全センサを備えた乗りかご出入口のドア安全装置において、  前記入口柱に配置されるドア安全センサの上端部に装着され、前記上端部へ装着したときに前記入口柱に上から係合し当該ドア安全センサの上端部を固定する第１の固定具と、
前記ドア安全センサの下端部に装着され、前記下端部に装着した状態のまま横方向から前記入口柱の下端縁に係合し当該ドア安全センサの下端部を固定する第２の固定具と、を備えたことを特徴とする乗りかご出入口のドア安全装置。
【請求項２】
前記第１の固定具は、
前記入口柱の上端部に係合する板ばねを有する第１の弾性係合部と、
前記ドア安全センサの上端部に嵌合し、前記第１の弾性係合部を保持する筒状部と、を備えたことを特徴とする請求項１に記載の乗りかご出入口のドア安全装置。
【請求項３】
前記第２の固定具は、
前記入口柱の下端部に係合する板ばね部と、前記板ばね部を水平に支持する延長腕と、を有する第２の弾性係合部と、
前記ドア安全センサの下端部に嵌合し、前記第２の弾性係合部を保持する筒状部と、を備えたことを特徴とする請求項１に記載の乗りかご出入口のドア安全装置。
【請求項４】
前記第１の固定具の前記筒状部および／または前記第２の固定具の前記筒状部には、前記ドア安全センサから照射される光を遮光しないためのスリットが形成されていることを特徴とする請求項２または３に記載の乗りかご出入口のドア安全装置。